(57)【要約】【課題】  簡単な回路で、信号に対しノイズを付加した信号を発生できる信号発生装置を提供する。【解決手段】  本発明の信号発生装置Ａは、付加するノイズを発生するノイズ発生器３０にＰＮ符号器３００を備える。ノイズ発生器３０は、ＰＮ符号器３００からのＰＮ符号を使用して、少なくとも所定の帯域において擬似的に白色のノイズを発生する。ノイズ付加器３２は、信号ソース１からの信号に対し、ノイズ発生器３０からのノイズを付加してノイズ付加信号を発生する。【選択図】  図１
2005117235.tif 000002
【特許請求の範囲】
【請求項１】
ノイズを付加された信号を発生する信号発生方法であって、
ＰＮ符号を使用して、少なくとも所定の帯域において擬似的に白色のノイズを発生するステップと、
受けた信号に対し、前記ノイズを付加して、ノイズ付加信号を発生するステップと、
から成る信号発生方法。
【請求項２】
請求項１記載の信号発生方法であって、さらに、
前記信号を発生するステップを含むこと、
を特徴とする信号発生方法。
【請求項３】
請求項１記載の信号発生方法において、前記ＰＮ符号は、スペクトル逆拡散を伴わないスペクトル拡散に使用すること、を特徴とする信号発生方法。
【請求項４】
請求項１記載の信号発生方法において、前記信号および前記ノイズは、デジタル形態であること、を特徴とする信号発生方法。
【請求項５】
請求項１記載の信号発生方法において、前記信号は、キャリアを含むこと、を特徴とする信号発生方法。
【請求項６】
請求項１記載の信号発生方法において、前記のノイズを発生するステップは、前記信号に対し所定のノイズ比率での付加となるように前記ノイズを発生すること、
を特徴とする信号発生方法。
【請求項７】
請求項６記載の信号発生方法において、前記所定のノイズ比率は、所定のＣ／Ｎ比を構成すること、を特徴とする信号発生方法。
【請求項８】
請求項１記載の信号発生方法において、前記キャリアは、ＯＦＤＭ信号を構成すること、
を特徴とする信号発生方法。
【請求項９】
信号を発生する信号発生装置であって、
ＰＮ符号器を備えたノイズ発生器であって、該ＰＮ符号器からのＰＮ符号を使用して、少なくとも所定の帯域において擬似的に白色のノイズを発生する、前記のノイズ発生器と、
信号と、前記ノイズ発生器からの前記ノイズとを受け、前記信号に前記ノイズを付加してノイズ付加信号を発生するノイズ付加器と、
から成る信号発生装置。
【請求項１０】
請求項９記載の信号発生装置であって、さらに、前記信号を発生する信号ソースを含むこと、
を特徴とする信号発生装置。
【請求項１１】
請求項９記載の信号発生装置において、前記ノイズ発生器は、
前記ノイズの大きさを増減させて、前記ノイズが前記信号に対し所定のノイズ比率となるようにする利得手段、
を含むこと、を特徴とする信号発生装置。
【請求項１２】
請求項１１記載の信号発生装置において、前記利得手段は、
所定の利得係数を発生する利得係数設定器と、
前記利得係数を前記ＰＮ符号に乗算する乗算器と、
を含むこと、を特徴とする信号発生装置。
【請求項１３】
請求項１１記載の信号発生装置において、前記所定のノイズ比率は、所定のＣ／Ｎ比を構成すること、を特徴とする信号発生装置。
【請求項１４】
請求項９記載の信号発生装置において、前記キャリアは、ＯＦＤＭ信号を構成すること、
を特徴とする信号発生装置。
【請求項１５】
請求項９記載の信号発生装置において、前記ノイズは、Ｃ／Ｎ比の発生に使用すること、を特徴とする信号発生装置。
【請求項１６】
Ｃ／Ｎ発生装置であって、
受けるキャリアに付加すべきノイズを発生するノイズ発生器であって、前記ノイズは、ＰＮ符号を使用して生成する、前記のノイズ発生器と、
前記キャリアに前記ノイズを付加して、所定のＣ／Ｎ比をもつキャリアを発生するノイズ付加器と、
から成るＣ／Ｎ発生装置。
【請求項１７】
請求項１６記載のＣ／Ｎ発生装置において、前記ノイズ発生器は、
前記ＰＮ符号を発生するＰＮ符号器、
を含むこと、を特徴とするＣ／Ｎ発生装置。
【請求項１８】
請求項１６記載のＣ／Ｎ発生装置であって、前記ノイズ発生器は、さらに、
前記ＰＮ符号器からの前記ＰＮ符号の大きさを増減させる利得手段、
を含むこと、を特徴とするＣ／Ｎ発生装置。
【請求項１９】
請求項１８記載のＣ／Ｎ発生装置において、前記利得手段は、
前記所定のＣ／Ｎ比に対応するＣ／Ｎ係数を発生するＣ／Ｎ係数設定器と、
前記Ｃ／Ｎ係数を前記ＰＮ符号に乗算する乗算器と、
を含むこと、を特徴とするＣ／Ｎ発生装置。
【請求項２０】
請求項１６記載のＣ／Ｎ発生装置において、前記キャリアは、ＯＦＤＭ信号を構成すること、
を特徴とするＣ／Ｎ発生装置。
【発明の詳細な説明】
【技術分野】
【０００１】
本発明は、信号の発生、特にキャリア対ノイズ比（Ｃ／Ｎ比）等を形成するためにノイズを付加した信号を発生する方法および装置に関するものである。
【背景技術】
【０００２】
従来、地上デジタル放送（ＩＳＤＢ−Ｔ：Integrated Services Digital Broadcasting-Terrestrial）方式において、Ｃ／Ｎ対ＢＥＲ特性の測定のために、放送すべきＯＦＤＭ信号に対し指定されたＣ／Ｎ比を持たせる方法が知られている。尚、ＢＥＲは、ビットエラー・レート（Bit Error Rate）である。そのようなＣ／Ｎ比を持たせるため、あるＣ／Ｎ発生回路では、ＯＦＤＭデータの各シンボルを遅延させる遅延回路、あるいは予め適当なＯＦＤＭデータ・シンボルを記憶したＲＯＭを使用することによって、ＯＦＤＭデータに対し付加する擬似ランダムノイズデータを発生させている（特許文献１参照）。
【０００３】
また、別のあるＣ／Ｎコントローラでは、複数のＭ系列を加算して白色ガウス雑音系列を発生させるため、複数のノイズメモリ（ＲＯＭ）と１つのアドレス制御部とを備えている（非特許文献１参照）。
【０００４】
【特許文献１】特開平１１−２８４５９８号
【非特許文献１】アンリツテクニカルＮｏ．８０，Ｊａｎ．２００２
【発明の開示】
【発明が解決しようとする課題】
【０００５】
本発明の目的は、より簡単な回路でノイズを付加した信号を発生する信号発生の方法および装置を提供することである。
本発明の別の目的は、Ｃ／Ｎ比の発生に適した上記の方法および装置を提供することである。
【課題を解決するための手段】
【０００６】
上記目的を達成するため、本発明による、ノイズを付加された信号を発生する信号発生方法は、ＰＮ符号を使用して、少なくとも所定の帯域において擬似的に白色のノイズを発生するステップと、受けた信号に対し、前記ノイズを付加して、ノイズ付加信号を発生するステップと、を備える。さらに、上記信号発生方法は、前記信号を発生するステップを含むことができる。
【０００７】
本発明によれば、前記ＰＮ符号は、スペクトル逆拡散を伴わないスペクトル拡散に使用することができる。また、前記信号および前記ノイズは、デジタル形態とすることができる。また、前記信号は、キャリアを含むようにすることができる。前記のノイズを発生するステップは、前記信号に対し所定のノイズ比率での付加となるように前記ノイズを発生するようにできる。前記所定のノイズ比率は、所定のＣ／Ｎ比を構成するようにできる。また、前記キャリアは、ＯＦＤＭ信号を構成するようにすることができる。
【０００８】
また、本発明による、信号を発生する信号発生装置は、ＰＮ符号器を備えたノイズ発生器であって、該ＰＮ符号器からのＰＮ符号を使用して、少なくとも所定の帯域において擬似的に白色のノイズを発生する、前記のノイズ発生器と、信号と、前記ノイズ発生器からの前記ノイズとを受け、前記信号に前記ノイズを付加してノイズ付加信号を発生するノイズ付加器と、を備える。この装置は、さらに、前記信号を発生する信号ソースを含むようにできる。
【０００９】
本発明によれば、前記ノイズ発生器は、前記ノイズの大きさを増減させて、前記ノイズが前記信号に対し所定のノイズ比率となるようにする利得手段、を含むようにできる。前記利得手段は、所定の利得係数を発生する利得係数設定器と、前記利得係数を前記ＰＮ符号に乗算する乗算器と、を含むようにできる。前記所定のノイズ比率は、所定のＣ／Ｎ比を構成するようにすることができる。また、前記キャリアは、ＯＦＤＭ信号を構成するようにできる。さらに、前記ノイズは、Ｃ／Ｎ比の発生に使用するようにすることができる。
【発明の効果】
【００１０】
本発明によれば、白色ノイズの発生に使用するＰＮ符号は、アナログ回路あるいはＲＯＭを使用しない簡単な回路で発生できるため、信号発生装置全体をより安価に実現することができる。また、ＰＮ符号器を備えた既存のシステムと組み合わせて本発明を用いる場合、既存のシステムのＰＮ符号器からのＰＮ符号を使用することにより、信号発生装置自体のＰＮ符号器を不要とすることもでき、これによってさらに回路を簡単化することもできる。
【発明を実施するための最良の形態】
【００１１】
以下、本発明について、本発明の種々の実施形態を示す図面を参照して詳細に説明する。
【００１２】
図１は、本発明によって構成した、基本的な構成を備えた信号発生装置Ａをブロック図で示す図である。図示のように、この信号発生装置Ａは、任意の信号を発生する信号ソース１と、この信号に対しノイズを付加するためのノイズ付加装置３とで構成している。信号ソース１が出力に発生する信号としては、ベースバンドの信号の他に、より高い周波数のキャリアに重畳した変調信号のような信号等も含む。このような信号を入力に受けるノイズ付加装置３は、ノイズ発生器３０と、付加器３２とを備えている。本発明によれば、ノイズ発生器３０は、擬似的に白色のノイズを発生するため、ＰＮ符号器３００を備えている。ここで、ＰＮ符号器とは、スペクトル拡散の分野においてよく知られたものであって、擬似雑音（ＰＮ：pseudo noise）符号を発生するものである。このＰＮ符号で構成された擬似白色ノイズを一方の入力に受ける付加器３２は、他方の入力に受ける信号ソース１からの信号に対し付加するように動作し、これによってノイズ付加された信号を出力に発生する。ここで、付加器３２は、受ける信号の形態あるいは周波数等に応じた付加動作を行うものである。例えば、受ける信号がデジタル信号の場合には、デジタル的に加算を行う加算器で構成することもできる。
【００１３】
次に、図２を参照して、ノイズ付加装置３の１実施形態であるノイズ付加装置３Ｂについて説明する。尚、図２においては、図１の要素と対応する要素には、同じ番号に記号“Ｂ”を付している。図示のように、ノイズ付加装置３Ｂは、ノイズ発生器３０Ｂと付加器３２Ｂとで構成されている。このノイズ付加装置３Ｂは、これが受ける信号に対し、指定のノイズ比率でノイズを付加する構成のものである。そのため、ノイズ発生器３０Ｂは、ＰＮ符号器３００Ｂに加えて、利得部３０２Ｂを備えている。利得部３０２Ｂは、利得係数設定器３０２０Ｂと乗算器３０２２Ｂとで構成されている。利得係数設定器３０２０Ｂは、指定のノイズ比率となるような大きさのノイズを発生するため、そのノイズ比率に対応する利得係数を設定する回路である。この設定器は、例えば、ユーザが手動で設定可能な任意のスイッチ手段(例えばＯＮ・ＯＦＦスイッチ)、あるいは指定の利得係数を格納する任意の手段(例えばレジスタ)で構成することができる。乗算器３０２２Ｂは、一方の入力で設定器３０２０Ｂからのこの利得係数を受け、そして他方の入力でＰＮ符号器３００Ｂからの擬似白色ノイズを成すＰＮ符号を受け、これら入力を互いに乗算することによって、ノイズの大きさを利得係数だけ増減させたＰＮ符号を乗算器出力に発生する。この乗算器出力であるノイズを一方の入力に受ける加算器３２Ｂは、他方の入力に受けた信号に対し加算することによって、上記のノイズ付加信号を出力に発生する。この構成により、利得係数設定器３０２０Ｂで、利得係数を増減させることにより、入力信号に付加するノイズ比率を任意に増減させることができる。
【００１４】
以上に説明した本発明によれば、評価対象の電気的あるいは電子的機器その他の任意の装置に無線または有線（単なる接続を含む）の伝送路を介して供給する所与の信号に対し、指定した量のノイズを付加することにより、それら機器あるいは装置の性能を評価することができる。一般の通信においては、送信機側においてあるＰＮ符号を用いて信号のスペクトル拡散を行い、そして受信機側においては、受けた信号に対するスペクトル拡散の符号化を復号するためすなわちスペクトル逆拡散を行うため、送信側において使用されたＰＮ符号と共通のＰＮ符号を使用している。この共通のＰＮ符号を利用できない受信機にとっては、ＰＮ符号は、擬似的に白色のノイズとして作用する。本発明では、この点に着目し、このＰＮ符号による信号のスペクトル拡散により、対応するスペクトル逆拡散なしでその信号を処理する受信側装置に対し、信号に加えて擬似的白色ノイズを供給しようとするものである。本発明によれば、この積極的な擬似白色ノイズ付加能力により、電気的あるいは電子的機器の種々の特性、性能(例えば地上波デジタルテレビジョン放送チューナ)の評価に利用することができる。
【００１５】
次に、図３を参照して、図２のノイズ付加装置３ＢをＣ／Ｎ比発生に利用した１実施形態のＣ／Ｎ発生装置３Ｃについて説明する。同様に、図３においては、図１および図２の要素と対応する要素には、同じ番号に記号“Ｃ”を付してある。図示のように、Ｃ／Ｎ発生装置３Ｃは、入力に直交分割多重（ＯＦＤＭ：Orthogonal Frequency Division Multiplexing）信号に対し、ノイズを付加することによって指定のＣ／Ｎ比を持たせるものである。ここで、ＯＦＤＭ信号は、地上デジタルテレビジョン放送ＩＳＤＢ−Ｔにおいて利用されるものであり、多数の異なった周波数のキャリアに信号が重畳された変調信号であって、例えば１６ビットのパラレルのデジタル・データである。
【００１６】
このＯＦＤＭ信号を受けるＣ／Ｎ発生装置３Ｃは、図示のように、ＰＮ符号器３００Ｃと、Ｃ／Ｎ係数設定器３０２０Ｃと、乗算器３０２２Ｃと、加算器３２Ｃと、そしてさらにＤ／Ａコンバータ３４Ｃを備えている。ＰＮ符号器３００Ｃは、任意の周知の構成のＰＮ符号器とすることができ、そして入力に例えば、地上デジタルテレビジョン放送のＯＦＤＭに使用するＩＦＦＴサンプル周波数の４倍オーバーサンプリング周波数の３２．５０７９３６ＭＨｚの基準クロック信号を受け、そして出力にその基準クロック信号と同じ周期でＰＮ符号ノイズ・データを発生する。このＰＮ符号ノイズ・データは、例えば、１６ビットのパラレル・データであり、そして乗算器３０２２Ｃの一方に入力に供給される。一方、Ｃ／Ｎ係数設定器３０２０Ｃは、図２の利得係数設定器３０２０Ｂの１実施形態であるが、Ｃ／Ｎ係数を設定するスイッチ手段で構成できる。この設定器３０２０Ｃは、出力に例えば１６ビットのパラレルの係数データを発生し、乗算器３０２２Ｃの他方の入力に供給する。乗算器３０２２Ｃは、ＰＮ符号データに対しＣ／Ｎ係数データを乗算して、ＯＦＤＭ信号に対し指定されたＣ／Ｎ比となるような大きさの擬似白色ノイズすなわちＣ／Ｎ付加用ノイズ・データを発生する。加算器３２Ｃは、入力に受けたそれらＯＦＤＭ信号とＣ／Ｎ付加用ノイズ・データを互いに加算して、Ｃ／Ｎ付加したＯＦＤＭ信号を発生する。このＯＦＤＭ信号もまた、１６ビットのパラレルのデジタル信号である。次のＤ／Ａコンバータ３４Ｃは、上記の基準クロック信号に基づき動作して、Ｃ／Ｎ付加したＯＦＤＭ信号をデジタル形態から、後段で使用する回路に適したアナログ形態に変換する。
【００１７】
図３の回路では、ＰＮ符号器３００Ｃ、Ｃ／Ｎ係数設定器３０２０Ｃ、乗算器３０２２Ｃ、および加算器３２Ｃは、すべてデジタル回路で構成できるため、これら回路を、ＰＮ符号アルゴリズムとＦＰＧＡ（Field Programmable Gate Array）の組み合わせで実現することができる。
【００１８】
図４は、図３のＰＮ符号器３００Ｃの１例であるＰＮ符号器３０００Ｃを示すブロック図である。このＰＮ符号器３０００Ｃは、図示のように２３個の直列接続したシフトレジスタ（Ｄ）と、右端のシフトレジスタの入力と出力間に２つの入力が接続された１つの排他的論理和ゲートとで構成されている。このゲートの出力は、左端のシフトレジスタの入力に接続されるとともに、このＰＮ符号器のシリアル出力を構成している。この出力からは、次数が２３の“ＰＮ２３”符号器のシリアルのＰＮ符号出力が発生される(１６ビットのパラレル・データは、シリアルのＰＮ符号を１６個のシフトレジスタの出力で、パラレル構成する)。図４に示したＰＮ符号器は、単なる１例に過ぎず、仕様に応じて他の回路構成を有するようにできる。尚、ＰＮ符号器で発生できる白色ノイズの周波数帯域は、クロック周波数、レジスタ長等に依存する。
【００１９】
図５と図６は、図３のＣ／Ｎ発生装置３Ｃの出力であるノイズ付加したＯＦＤＭ信号についての周波数スペクトル図と位相図を示す図である。図５は、ＯＦＤＭ信号に対するノイズ付加有り、すなわちＣ／Ｎ付加有り（Ｃ／Ｎ＝２５ｄＢ）の場合で、図６は、ノイズ付加無し、すなわちＣ／Ｎ付加無し（Ｃ／Ｎ＝３０ｄＢ）の場合を示している。尚、周波数スペクトル図においては、横軸は１目盛りが１ＭＨｚで、縦軸が１目盛り１０ｄＢである。これらの図を比較すると分かるように、図５のＣ／Ｎ比付加の場合には、その位相図から明らかなように、図６のＣ／Ｎ付加無しの場合に比べ、ＯＦＤＭ信号に対し振幅雑音並びに位相雑音が付加されていることが分かる。しかも、図５の位相図のコンスタレーションから、ランダムなノイズ、すなわち白色ノイズが付加されているのが確認される。したがって、本発明によれば、少なくともＯＦＤＭ信号の周波数帯域において、白色ノイズを発生できている。
【００２０】
次に、図７を参照して、図３のＣ／Ｎ発生装置を利用した、ＩＳＤＢ−Ｔチューナの性能を評価するためのＩＳＤＢ−Ｔ信号発生／評価装置Ｄについて説明する。この信号発生／評価装置Ｄは、評価対象であるＩＳＤＢ−Ｔチューナ９ＤのＣ／Ｎ対ＢＥＲ特性を測定するのに使用する。詳細には、図示のように、信号発生／評価装置Ｄは、トランスポート・ストリーム（ＴＳ）ジェネレータ１０Ｄ（“ＰＮ２３”符号器を備えている）と、ＩＳＤＢ−Ｔ変調器１２Ｄと、図３の装置に相当するＣ／Ｎ発生装置３Ｄと、アップコンバータ５Ｄと、ＢＥＲ（ビットエラー・レート）カウンタ７Ｄとを備えている。アップコンバータ５Ｄの出力は本装置Ｄの出力端子に接続され、この端子に評価対象のチューナ９Ｄの入力が接続され、そしてチューナ９Ｄの出力は、ＢＥＲカウンタ７Ｄの入力に接続した本装置Ｄの入力端子に接続される。
【００２１】
図７のＩＳＤＢ−Ｔ信号発生／評価装置Ｄでは、ＴＳジェネレータ１０Ｄが発生したトランスポート・ストリームを使用して、変調器１２Ｄで所定の多数のキャリアに変調を行い、この変調結果のＯＦＤＭデジタル信号に対し、Ｃ／Ｎ発生装置３Ｄで、指定のＣ／Ｎ比を付与する。このＣ／Ｎ比付与されたＯＦＤＭ信号は、次にアップコンバータ５Ｄで高い周波数に変換した後に、チューナ９Ｄに入力する。この入力に対応するチューナ９Ｄからの出力信号におけるビットエラーは、ＢＥＲカウンタ７Ｄでカウントする。ここで、ＢＥＲカウンタ７Ｄは、基準となるデジタル・データ(ＴＳジェネレータ１０Ｄの出力)と比較することによりビットエラー・レートを計測する。当該分野で知られているように、Ｃ／Ｎ比とＢＥＲとの間に既知の相関関係があり、このような相関関係を具備しているか否かにより、チューナの性能の良否を判定することができる。
【００２２】
図８は、図７の装置Ｄを簡単化した１実施形態のＩＳＤＢ−Ｔ信号発生／評価装置Ｅを示すブロック図である。尚、図８では、図７のものと異なっている部分のみを示してあり、その他の部分は図示を省略している。図示のように、図８の実施形態では、ＴＳジェネレータ１０Ｅに通常含まれている“ＰＮ２３”ＰＮ符号器の出力を、Ｃ／Ｎ発生装置３Ｅ内のノイズ発生器３０Ｅに供給するように接続している。すなわち、ＴＳジェネレータ１０Ｅでは、トランスポート・ストリームのスペクトル拡散のために“ＰＮ２３”ＰＮ符号器１００Ｅを備えている。図８の実施形態では、このＰＮ符号器１００ＥのＰＮ符号出力をノイズ発生器３０Ｅで使用することにより、ノイズ発生器３０Ｅ内のＰＮ符号器を省略することができる。また、このように同じＰＮ符号器出力を装置内の異なった箇所で使用しても、信号処理の観点から時間的にずれた位置で使用するため問題は生じない。
【００２３】
以上に述べた本発明の種々の実施形態においては、以下の変更が可能である。まず初めに、ノイズ比率の例として、Ｃ／Ｎ比について詳細に記述したが、本発明はこれに限定されるものではなく、ノイズを付加することが必要なその他の用途にも使用することができる。さらに、本発明による信号発生装置は、上記のチューナの同調動作以外の他の任意の動作／処理(例えばＣ／Ｎ対ＢＥＲ特性)の測定のためにも使用することもできる。
【図面の簡単な説明】
【００２４】
【図１】図１は、本発明によって構成した、基本的な構成を備えた信号発生装置Ａを示すブロック図。
【図２】図２は、図１のノイズ付加装置３の１実施形態であるノイズ付加装置３Ｂを示すブロック図。
【図３】図３は、図２のノイズ付加装置３ＢをＣ／Ｎ比発生に利用した１実施形態のＣ／Ｎ発生装置３Ｃを示すブロック図。
【図４】図４は、図３のＰＮ符号器３００Ｃの１例であるＰＮ符号器３０００Ｃを示すブロック図。
【図５】図５は、図３のＣ／Ｎ発生装置３Ｃの出力であるノイズ付加したＯＦＤＭ信号について、Ｃ／Ｎ付加有りの場合の周波数スペクトル図と位相図を示す図。
【図６】図６は、図３のＣ／Ｎ発生装置３Ｃの出力であるノイズ付加したＯＦＤＭ信号について、Ｃ／Ｎ付加無しの場合の周波数スペクトル図と位相図を示す図。
【図７】図７は、図３のＣ／Ｎ発生装置を利用したＩＳＤＢ−Ｔ信号発生／評価装置Ｄを示すブロック図。
【図８】図８は、図７の装置Ｄを簡単化した１実施形態のＩＳＤＢ−Ｔ信号発生／評価装置Ｅを示すブロック図である。
【符号の説明】
【００２５】
Ａ  信号発生装置
１  信号ソース
３  ノイズ付加装置
３Ｃ  Ｃ／Ｎ発生装置
３０  ノイズ発生器
３２  付加器
１００Ｅ  ＰＮ符号器
３００ ＰＮ符号器
３００Ｂ  ＰＮ符号器
３０２Ｂ  利得部
【図１】
2005117235.tif 000003
【図２】
2005117235.tif 000004
【図３】
2005117235.tif 000005
【図４】
2005117235.tif 000006
【図７】
2005117235.tif 000007
【図８】
2005117235.tif 000008
【図５】
2005117235.tif 000009
【図６】
2005117235.tif 000010